(57)【要約】【課題】  引出の収納性を高めることができるチェストを提供する。【解決手段】  引出１２を、上下に型開きされる金型によって成形し、左右の側面６１、前面６２、後面６３を、抜き勾配によって上方へ向かうに従って外側へ広がるように形成する。側面６１下部に、チェスト本体１１の内レールと対を成す金属製の外レール６５を設ける。外レール６５に、引出２１の下面７１側部の段部７２に固定される下部固定面７３と、下部固定面７３より起立して引出２１の側面６１下部の後退部７４に固定される起立面７５とを設ける。【選択図】        図５
2005323648.tif 000002
【特許請求の範囲】
【請求項１】
チェスト本体に収容される合成樹脂製の引出の側面にレールが延設されたチェストにおいて、
前記レールを前記側面の下部に設けたことを特徴とするチェスト。
【請求項２】
前記レールに、前記引出の下面に固定される下部固定面と、該下部固定面より起立して前記引出の前記側面に固定される起立面とを形成したことを特徴とする請求項１記載のチェスト。
【請求項３】
前記引出の横幅寸法を下方へ向かうに従って小さくなるように設定し、対向する前記側面を傾斜したことを特徴とする請求項１又は２記載のチェスト。
【発明の詳細な説明】
【技術分野】
【０００１】
本発明は、衣類や小物などを収容するチェストに関する。
【背景技術】
【０００２】
従来、衣類や小物などを収納する際には、チェストが用いられていた。
【０００３】
このチェストは、チェスト本体と、該チェスト本体に引き出し自在に収容される引出とによって構成されている。
【０００４】
前記引出は、金型によって樹脂成形されれており、上方に開口した矩形容器状に形成されている。この引出の側面には、上縁に沿ってレールが設けられており、前記チェスト本体内には、このレールと対を成すレールが延設されている。
【０００５】
これにより、前記引出のレールが前記チェスト本体内のレールに沿って移動することによって、前記引出の出し入れが容易となるように構成されている。
【発明の開示】
【発明が解決しようとする課題】
【０００６】
しかしながら、このようなチェストにおいては、引出の側面にレールを設ける構造上、引出の側面とチェスト本体との間に、レール配置空間を確保しなければならなかった。
【０００７】
これにより、引出の内容量が減少するという問題があった。
【０００８】
本発明は、このような従来の課題に鑑みてなされたものであり、引出の収納性を高めることができるチェストを提供することを目的とするものである。
【課題を解決するための手段】
【０００９】
前記課題を解決するために本発明の請求項１のチェストにあっては、チェスト本体に収容される合成樹脂製の引出の側面にレールが延設されたチェストにおいて、前記レールを前記側面の下部に設けた。
【００１０】
すなわち、合成樹脂製の引出を金型で形成する場合、この引出の側面は、金型の抜き勾配によって上方へ向かうに従って側方へ広がるように形成されており、該側面は、下方へ向かうに従って内側へ後退するように傾斜している。
【００１１】
このため、幅広の上縁部に合わせて形成されたチェスト本体と前記引出の側面間の間隙は、下方へ向かうに従って広くなるように構成されており、この下部空間にレールが配置される。
【００１２】
また、請求項２のチェストにおいては、前記レールに、前記引出の下面に固定される下部固定面と、該下部固定面より起立して前記引出の前記側面に固定される起立面とを形成した。
【００１３】
すなわち、引出の下面には、レールの下部固定面が固定されるとともに、引出の側面には、前記下部固定面より起立した起立面が固定される。
【００１４】
これにより、前記引出下部の角部は、Ｌ字状をなす前記レールの下部固定面及び起立面によって補強される。
【００１５】
さらに、請求項３のチェストでは、前記引出の横幅寸法を下方へ向かうに従って小さくなるように設定し、対向する前記側面を傾斜した。
【００１６】
これにより、樹脂成型時の金型の抜き勾配を設定することができるとともに、引出同士を重ねて保管することができる。
【発明の効果】
【００１７】
以上説明したように、本発明の請求項１のチェストにあっては、チェスト本体と引出の側面間の間隙が最も大きくなる下部空間を利用してレールを取り付けることができる。
【００１８】
したがって、幅広となる側面上部にレールを設ける従来と比較して、引出の内容量の減少を防止することができるとともに、収納性の向上を図ることができる。
【００１９】
また、請求項２のチェストにおいては、引出下部の角部を、Ｌ字状を成すレールの下部固定面と起立面によって補強することができきる。
【００２０】
これにより、引出の剛性を高めることができる。
【００２１】
さらに、請求項３のチェストでは、前記引出の横幅寸法を下方へ向かうに従って小さくなるように設定し、対向する前記側面を傾斜したため、樹脂成型時の金型の抜き勾配を設定することができるとともに、引出同士を重ねて保管することができる。
【発明を実施するための最良の形態】
【００２２】
以下、本発明の一実施の形態を図に従って説明する。図１は、本実施の形態にかかるチェスト１を示す図であり、該チェスト１は、衣類や小物などを収納するものである。
【００２３】
このチェスト１は、図２にも示すように、フレームを形成するチェスト本体１１と、該チェスト本体１１に設けられた三つの矩形容器状の引出１２，・・・とによって構成されている。
【００２４】
前記チェスト本体１１は、上下に連結された三つのフレーム構成部材２１，・・・によって構成されており、下段のフレーム構成部材２１の底面２２には、脚部２３，・・・が設けられている。上段のフレーム構成部材２１には、天板２４が設けられており、各フレーム構成部材２１，・・・間及び上段のフレーム構成部材２１と天板２４間には、前記引出１２，・・・が引き出し自在に保持されている。
【００２５】
前記フレーム構成部材２１は、合成樹脂で形成されており、当該フレーム構成部材２１は、図３に示すように、中央部が開口した長方形状の底板部３１と、該底板部３１の四隅に起立した支柱３２，・・・とによって構成されている。
【００２６】
該支柱３２は、四角柱状に形成されており、前記底板部３１に起立した支柱本体４１と、該支柱本体４１の上端部に設けられた挿入部４２とによって一体形成されている。該挿入部４２は、前記支柱本体４１より小径に形成されており、前記挿入部４２が起立した前記支柱本体４１の上端には、段差部４４が形成されている。
【００２７】
前記支柱３２は、矩形筒状に形成されており、前記支柱本体４１の下端部には、下段に配置される支柱３２の挿入部４２及び前記脚部２３が選択的に挿入される連結部４５が設けられている。これにより、下段のフレーム構成部材２１の支柱３２の挿入部４２を、上段のフレーム構成部材２１の支柱３２の連結部４５に挿入し、下段の支柱本体４１の段差部４４を上段の支柱本体４１下端に当接した状態で、下段のフレーム構成部材２１と上段のフレーム構成部材２１とを連結できるように構成されている。
【００２８】
前記フレーム構成部材２１における前後の支柱３２，３２間には、両支柱３２，３２の下端部に架橋する下部側面５１が一体形成されており、該下部側面５１には、ローラ５２を備えた金属製の内レール５３が前記の支柱３２，３２に架橋して設けられている。
【００２９】
このフレーム構成部材２１の左右の支柱３２，３２間に保持される前記引出１２は、合成樹脂によって形成されており、図４に示すように、上方が開口した矩形容器状に形成されている。この引出１２は、上下方向に型開きされる金型によって成形されており、左右の側面６１，６１の横幅寸法Ｈ（図５参照）及び前面６２並びに後面６３の奥行き寸法は、抜き勾配によって下方へ向かうに従って小さくなるように形成されている。これにより、対向した左右の側面６１，６１と、対向した前面６２及び後面６３は傾斜するとともに、内径寸法が上方へ向かうに従って広がるように設定されており、引出同士を重ねて保管できるように構成されている。
【００３０】
前記各側面６１，６１の下部には、前記内レール５３と対を成す金属製の外レール６５が設けられている。該外レール６５には、図５にも示すように、前記引出２１の下面７１側部に形成された段部７２に固定される下部固定面７３と、該下部固定面７３より起立して前記引出２１の前記側面６１下部の後退部７４に固定される起立面７５とが設けられており、該起立面７５の前端下角部は、図４及び図６に示すように、前記側面６１に形成された下部係止部７６と側面６１間に挟持された状態で保持されている。また、前記起立面７５の前端上角部は、前記側面６１に突設されたく字状突起７７によって前方への移動が規制されている。
【００３１】
そして、前記外レール６５の前記下部固定面７３は、図４及び図７に示すように、前記引出２１の下面７１に設けられた断面Ｌ字状の係止片８１，・・・と下面７１間に挟持された状態で保持されれており、前記起立面７５の後端部には、図４に示したように、ローラ８２が設けられている。これにより、図８に示すように、前記内レール５３に設けられたローラ５２が前記外レール６５に設けられた上面ガイド８３を転動するとともに、前記外レール６５に設けられたローラ８２が前記内レール５３に設けられた上面ガイド８４を転動することによって、引出２１の移動が容易となるように構成されている。
【００３２】
以上の構成にかかる本実施の形態において、合成樹脂製の引出１２を金型で形成する場合、この引出１２の側面６１は、金型の抜き勾配によって上方へ向かうに従って側方へ広がるように形成されており、該側面６１は、下方へ向かうに従って内側へ後退するように傾斜している。このため、幅広の上縁部の幅寸法に合わせて形成されたチェスト本体１１と前記引出２１の側面６１間の間隙Ｋは、下方へ向かうに従って広くなるように構成されており、この下部空間に前記両レール５３，６５が配置される。
【００３３】
このように、前記チェスト本体１１と引出１２の側面６１間の間隙Ｋが最も大きくなる下部空間を利用して前記両レール５３，６１を取り付けることができる。
【００３４】
したがって、幅広となる側面６１上部に両レール５３，６１を設ける従来と比較して、引出２１の内容量の減少を防止することができるとともに、収納性の向上を図ることができる。
【００３５】
また、外レール６５には、断面Ｌ字状を成す下部固定面７３と起立面７５とが設けられており、前記引出２１の下面７１には、前記下部固定面７３が固定されるとともに、引出２１の側面６１には、前記下部固定面７３より起立した起立面７５が固定されている。
【００３６】
これにより、前記引出２１下部の角部を、Ｌ字状を成す前記下部固定面７３と前記起立面７５によって補強することができきる。これにより、引出２１の剛性を高めることができる。
【００３７】
さらに、前記引出１２の横幅寸法Ｈは、下方へ向かうに従って小さくなるように設定されているため、樹脂成型時の金型の抜き勾配を設定することができるとともに、複数の引出１２，・・・同士を重ねて保管することができる。
【図面の簡単な説明】
【００３８】
【図１】本発明の一実施の形態を示す正面図である。
【図２】同実施の形態の側面図である。
【図３】同実施の形態のフレーム構成部材の内側面を示す図である。
【図４】同実施の形態の引出を示す側面図である。
【図５】同実施の形態の要部を示す断面図である。
【図６】図４のＡ部拡大図である。
【図７】図４のＢ−Ｂ線に沿った断面図である。
【図８】同実施の形態の引出を引き出した状態を示す要部の断面図である。
【符号の説明】
【００３９】
１    チェスト
１１    チェスト本体
１２    引出
６１    側面
６５    外レール
７１    下面
７３    下部固定面
７５    起立面
Ｈ    横幅寸法
【図１】
2005323648.tif 000003
【図２】
2005323648.tif 000004
【図３】
2005323648.tif 000005
【図４】
2005323648.tif 000006
【図５】
2005323648.tif 000007
【図６】
2005323648.tif 000008
【図７】
2005323648.tif 000009
【図８】
2005323648.tif 000010